(57)【特許請求の範囲】
【請求項１】
木質系床材の裏面に長さ方向に直交して複数本の断面コ字型の深溝部が間隔をおいて刻設され、この深溝部を含む平面に凹部が設けられるとともに、この凹部の裏面側からの深さが深溝部よりも浅く、上記各凹部と凹部とが重ならないように配設された木質系防音床材であって、前記深溝部を含む平面に設けられる凹部が平面視円形に形成されて木質系床材の巾方向に位置がずらされることで相互に重ならないように配設されていることを特徴とする木質系防音床材。
【請求項２】
上記深溝部の幅が１〜４ｍｍの範囲であり、裏面側からの深さが木質系床材の４／９〜７／９の範囲である請求項１に記載の木質系防音床材。
【請求項３】
上記凹部の裏面側からの深さが１／９〜５／９の範囲である請求項１に記載の木質系防音床材。
【請求項４】
上記木質系床材の裏面にさらに緩衝材が貼着された請求項１に記載の木質系防音床材。
【発明の詳細な説明】
【技術分野】
【０００１】
本発明は、防音床材に関する。さらに詳しくは、防音性能に優れた木質系床材に関する。
【背景技術】
【０００２】
近年、中高層住宅が増えるとともに、階下と階上との生活騒音に関するトラブルが社会問題となり、床材の防音に対する関心が高まっている。このような社会的情勢を踏まえて、床材に防音性や遮音性を付与する技術が種々提案されている。例えば、下記特許文献１には、化粧単板を表面に貼着した木質系床材の裏面に、溝の深さが上記木質系床材の厚さの３０〜５６％、溝の幅が４〜１５ｍｍの範囲である多数の溝を形成し、さらに、裏面全体に合成樹脂発泡体や繊維マット等の緩衝材を貼着してなる木質系防音床材が提案されている。
【特許文献１】特開平７−１５０７４６号公報（第１〜３頁、第１図）
【発明の開示】
【発明が解決しようとする課題】
【０００３】
しかしながら、上記特許文献１に記載の技術は、木質系床材の裏面に多数の溝が形成されているため、コシが柔らかく、歩行時に足が沈む感じとなり歩行感が悪いという問題がある。また、木質系床材の剛性が損なわれるため、運搬時に破損したり、施工時に折れるおそれがあり、取り扱いを慎重に行わねばならず、作業性に劣るという問題もある。本発明はこのような問題を解決するためになされたものであって、歩行感を悪くすることなく、運搬や施工を容易に行うことができるとともに、防音性に優れた木質系床材を提供することを、その課題とする。
【課題を解決するための手段】
【０００４】
上記課題を解決するために、本発明においては、つぎのような技術的手段を講じている。すなわち、請求項１に記載の発明によれば、木質系床材の裏面に長さ方向に直交して複数本の断面コ字型の深溝部が間隔をおいて刻設され、この深溝部を含む平面に凹部が設けられるとともに、この凹部の裏面側からの深さが深溝部よりも浅く、上記各凹部と凹部とが重ならないように配設された木質系防音床材であって、前記深溝部を含む平面に設けられる凹部が平面視円形に形成されて木質系床材の巾方向に位置がずらされることで相互に重ならないように配設されていることを特徴とする木質系防音床材が提供される。上記木質系床材としては、通常、合板の上に化粧単板を貼着した複合合板が用いられる。
【０００６】
請求項２に記載の木質系防音床材は、請求項１に記載の発明に加えて、上記深溝部の幅が１〜４ｍｍの範囲であり、裏面側からの深さが木質系床材の４／９〜７／９の範囲とされる。好ましくは、裏面側からの深さが木質系床材の厚さの略２／３とされる。
【０００７】
請求項３に記載の木質系防音床材は、請求項１に記載の発明に加えて、上記凹部の裏面側からの深さが１／９〜５／９の範囲とされる。好ましくは、裏面側からの深さが木質系床材の厚さの略１／３とされる。
【０００８】
請求項４に記載の木質系防音床材は、請求項１に記載の発明に加えて、上記木質系床材の裏面にさらに緩衝材が貼着されることが好ましい。緩衝材としては、ポリウレタンやポリエチレン発泡体等の合成樹脂発泡体、ポリエステル繊維、ポリプロピレン繊維、ナイロン繊維等をマット状にした繊維マット等を用いることができる。
【発明の効果】
【０００９】
請求項１に記載の発明にかかる木質系防音床材は上記のとおりであり、基材である木質系床材の裏面に長さ方向に直交して複数本の断面コ字型の深溝部が間隔をおいて刻設され、この深溝部を含む平面に裏面側からの深さが深溝部よりも浅い凹部が、重ならないように配設されているため、上記深溝部と深溝部との間の基材の裏面が駆体の床面に接して足が沈むことを防ぎ、歩行感に優れるという効果がある。また、木質系床材の剛性が損なわれないため、運搬時に破損することなく、施工時の作業性も優れたものとなる。さらに、深溝部よりも浅い凹部が防音性能を発揮し、例えば、上から物を落としても、階下に騒音として伝わることを防ぐ。
【００１０】
しかも、上記凹部の形状が平面視円形とされているため、この円形凹部を重なり合わせず多数木質系床材の裏面に設けることが可能となり、防音効果を向上させることができる。
【００１１】
請求項２に記載の木質系防音床材は上記のとおりであり、請求項１の木質系防音床材の有する効果に加え、上記深溝部の幅が１〜４ｍｍの範囲であり、裏面側からの深さが木質系床材の４／９〜７／９の範囲とされ、好ましくは、裏面側からの深さが木質系床材の厚さの略２／３とされているため、木質系床材のコシを柔らかくせず、剛性を保ち、優れた歩行感を得ることができる。
【００１２】
請求項３に記載の木質系防音床材は上記のとおりであり、請求項１の木質系防音床材の有する効果に加え、上記凹部の裏面側からの深さが１／９〜５／９の範囲とされ、好ましくは、裏面側からの深さが木質系床材の厚さの略１／３とされているため、上記深溝部とそれよりも浅い凹部との二段構造となり、歩行感を悪化させることなく、防音性能を向上させることができる。
【００１３】
請求項４に記載の木質系防音床材は上記のとおりであり、請求項１の木質系防音床材の有する効果に加え、上記木質系床材の裏面にさらに緩衝材が貼着されるため、歩行感、防音性能がより優れた木質系防音床材を得ることができる。
【発明を実施するための最良の形態】
【００１４】
以下、本発明の実施形態について図面を参照して、詳細に説明する。図１は本発明にかかる木質系防音床材Ａの構成を模式的に示す斜視図である。図２は、図１におけるＸ−Ｘ線に沿う断面図である。以下、図１、図２を参照して説明する。図１に示されているように、上記木質系防音床材Ａの基材である木質系床材３の裏面には、その長さ方向に直交して断面コ字型の深溝部１が複数本、間隔をおいて加工され、この深溝部１を含む平面に、木質系床材３の裏面からの深さが深溝部１よりも浅い円形凹部２が、相互に重ならないようにルータ等により加工され設けられている。
【００１５】
図１、図２に示すように、本実施形態においては、木質系床材３の厚さｔは９ｍｍとされ、その裏面に刻設される深溝部１の幅ｗは１〜４ｍｍ、深さｄは裏面側から４〜７ｍｍとされている。このように、間隔をおいて深溝部１を配置することにより、木質系床材３は、剛性を保ち、破損することなく、作業性よく施工できるとともに、優れた歩行感を得ることができる。
【００１６】
さらに、上記深溝部１を含む平面に設けられた円形凹部２の深さｆは裏面側から１〜５ｍｍとされ、このように構成された本発明にかかる木質系床材３はその裏面に深溝部１とそれよりも浅く、かつ、面積の大きな円形凹部２との二段構造からなる防音構造を有しているため、歩行感を悪化させることなく、防音性能の優れた木質系防音床材Ａとすることができる。
【００１７】
上記木質系防音床材Ａには、さらに公知の緩衝材４を貼着して使用することもできる。図３は、図１に示す木質系防音床材Ａの裏面に緩衝材４を貼着し、駆体の床面に配置した状態を示す正面図である。このように緩衝材４を貼着することにより、さらに防音性能が向上するとともに、クッション性も付与され、歩行感に優れたものとなる。
【００１８】
なお、断面コ字型の深溝部１は底部の角を取ってＵ字状としてもよく、また、開口部が広い台形状としてもよい。また、円形凹部２は円形ないしは長円形としてもよい。このように、本発明の木質系防音床材Ａは種々設計変更自在であり、特許請求の範囲を逸脱しない限り、いずれも本発明の技術的範囲に含まれる。
【図面の簡単な説明】
【００１９】
【図１】本発明にかかる木質系防音床材の構成を模式的に示す斜視図である。
【図２】図１におけるＸ−Ｘ線に沿う断面図である。
【図３】本発明の木質系防音床材に緩衝材を貼着した状態を示す正面図である。
【符号の説明】
【００２０】
Ａ          本発明にかかる木質系防音床材
１          深溝部
２          円形凹部
３          木質系床材
４          緩衝材
【図１】
0004591305.tif 000002
【図２】
0004591305.tif 000003
【図３】
0004591305.tif 000004